【事件の表示】
　平成１１年特許願第２３５３２５号「ＩＣチップモジュール及びその接合構造」拒絶査定不服審判事件〔平成１３年　３月　６日出願公開、特開２００１−　６０７４４〕について、次のとおり審決する。
【結　論】
　本件審判の請求は、成り立たない。
【理　由】
第１　手続の経緯
　本願は、平成１１年８月２３日の出願であって、平成１８年１０月５日付け拒絶理由通知に対して、平成１８年１２月１５日付けで手続補正がされたが、平成１９年１月９日付けで拒絶査定され、これに対し、平成１９年２月１５日に拒絶査定不服審判が請求されたものである。
　
第２　本願発明について
１．本願発明
　本願の請求項１〜１０に係る発明は、平成１８年１２月１５日付け手続補正により補正された明細書の特許請求の範囲の請求項１〜１０に記載された事項により特定されるとおりのものであるところ、その請求項１０に係る発明（以下、「本願発明」という。）は、次のとおりのものである。
　
「【請求項１０】ＩＣチップが搭載されたフィルム基板の入力側に複数の入力配線が前記ＩＣチップに接続されて設けられ、前記フィルム基板の出力側に配列ピッチが異なる第１及び第２の出力端子を有する複数の出力配線が前記ＩＣチップに接続されて設けられたＩＣチップモジュールの前記第１の出力端子を液晶表示パネル接合用とすることを特徴とするＩＣチップモジュール。」
　
２．引用例及びその記載事項並びに引用発明
（１）これに対して、原査定の拒絶の理由で引用された、本願出願前に頒布された刊行物である特開平１１−９５２４４号公報（以下、「引用例１」という。なお、本引用例１は、平成１８年１０月５日付け拒絶理由通知書における「引用文献２」である。）には、図１、図４及び図５とともに、以下の事項が記載されている。
　
〔１ａ〕「【請求項３】画素電極及び画素電極を駆動するスイッチング素子を含む表示エリアと、前記スイッチング素子に接続された第１配線パターンが前記表示エリアの周辺に引き出された配線エリアとを有する第１基板と、
　前記画素電極に対向配置された対向電極を有する第２基板と、
　前記第１基板と第２基板との間に配置された液晶組成物と、
　前記配線エリアに引き出された第１配線パターンに対応して第１のピッチで形成されているとともに前記第１配線パターンに接続された接続端子を含む第１接続端と、前記第１のピッチとは異なる第２のピッチで形成された接続端子を含む第２接続端と、前記第１接続端と第２接続端との間に所定方向に沿って形成されたスリット部とを有するフィルム基板と、
　前記第２接続端の接続端子に接続された駆動制御手段と、
　前記フィルム基板上における前記第１接続端の接続端子と前記第２接続端の接続端子との間を接続するとともに、前記スリット部において前記所定方向に直交する方向に対して傾斜するように配線された第２配線パターンと、
　を備えたことを特徴とする液晶表示装置。」（【特許請求の範囲】の【請求項３】）
　
〔１ｂ〕「この発明は、上記問題点を解決するためになされたものであり、低コスト化が可能であるとともに、配線強度を向上できる回路基板及びこの回路基板を備えた液晶表示装置を提供することを目的とする。」（【０００９】）
　
〔１ｃ〕「液晶表示パネル１０は、図１に示すように、画像を表示する表示エリア１０２、及び配線パターンが形成された周辺エリア１０４を含む第１基板としてのアレイ基板１００と、このアレイ基板１００に対向配置された第２基板としての対向基板２００と、アレイ基板１００と対向基板２００との間に配置された液晶材料とを備えている。表示エリア１０２は、アレイ基板１００と対向基板２００とを貼り合わせるシール材１０６によって囲まれた領域内に形成されている。また、周辺エリア１０４は、シール材１０６の外側の領域におけるアレイ基板１００の第１端辺１００ａ、及び第２端辺１００ｂのそれぞれの側に形成され、それぞれ１０４Ｘ、１０４Ｙと称する。」（【００１４】）
　
〔１ｄ〕「また、この液晶表示パネル１０では、図１に示したように、液晶表示装置の外形寸法、特に額縁サイズを小さく構成するために、詳細に図示しないが、信号線は、アレイ基板１００の周辺エリア１０４Ｘの第１端辺１００ａ側にのみ引き出され、この第１端辺１００ａ側で信号線に映像データを供給するＸ−ＴＡＢ４０１−１、４０１−２、４０１−３、４０１−４に異方性導電接着剤を介して接続されている。・・・
　また、走査線も、アレイ基板の周辺エリア１０４Ｙにおける第１端辺１００ａと直交する第２端辺１００ｂ側にのみ引き出され、この第２端辺１００ｂ側で走査線に走査パルスを供給するＹ−ＴＡＢ４１１−１、４１１−２に異方性導電接着剤を介して接続されている。」（【００２３】〜【００２４】）
　
〔１ｅ〕「図４に示すように、ＴＡＢ−ＩＣ６００は、絶縁性の樹脂によって形成されたフィルム基板６０２と、ＴＦＴを駆動するドライバＩＣすなわちＬＳＩ６０４とを備えている。・・・
　フィルム基板６０２の一端側６０２ａは、液晶表示パネル１０のアレイ基板１００に形成された周辺エリア１０４の配線パターンに対応して、第１のピッチで形成された第１接続端子群を備えている。この第１接続端子群の各端子は、異方性導電膜７００を介してアレイ基板１００側の周辺エリア１０４に設けられた配線パターンに電気的に接続されている。・・・
　フィルム基板６０２の他端側６０２ｂは、ＬＳＩ６０４の出力端子に対応して、第１のピッチとは異なる第２のピッチで形成された第２接続端子群を備えている。この第２接続端子群の各端子は、ＬＳＩ６０４の各出力端子に電気的に接続されている。さらに、フィルム基板６０２の他端６０２ｃは、Ｘ制御回路基板４２１、Ｙ制御回路基板４３１などの各種制御回路基板６０６に電気的に接続されている。」（【００３１】〜【００３３】）
　
〔１ｆ〕「このフィルム基板６０２上には、図５の（ａ）及び（ｂ）に示すように、フィルム基板６０２の一端側に形成された第１接続端子群６２１と、フィルム基板６０３の他端に形成された第２接続端子群６２２とを接続する配線パターンが形成されている。第１接続端子群６２１のピッチすなわち第１ピッチと、第２接続端子群６２２におけるＬＳＩ６０４上の出力端子のピッチすなわち第２ピッチとが異なる場合、ＴＡＢ−ＩＣは、必ずピッチを変換する領域が必要となる。例えば、図５の（ａ）及び（ｂ）に示すように、第１ピッチが第２ピッチより大きい場合、第１接続端子群６２１から第２接続端子群６２２に向かうにしたがって、配線パターンの間隔が小さくなるような斜め配線を形成する領域が必要となる。」（【００３５】）
　
（２）引用例１の上記摘記事項〔１ａ〕〜〔１ｆ〕の記載を総合勘案すると、引用例１には、次の発明（以下、「引用発明」という。）が記載されていると認められる。
　
「絶縁性の樹脂によって形成されたフィルム基板と、ＴＦＴを駆動するドライバＩＣすなわちＬＳＩとを備えているＴＡＢ−ＩＣにおいて、
　前記フィルム基板の一端側は、液晶表示パネルのアレイ基板に形成された周辺エリアの配線パターンに対応して、第１のピッチで形成された第１接続端子群を備えており、この第１接続端子群の各端子は、異方性導電膜を介してアレイ基板側の周辺エリアに設けられた配線パターンに電気的に接続され、
　前記フィルム基板の他端側は、ＬＳＩの出力端子に対応して、第１のピッチとは異なる第２のピッチで形成された第２接続端子群を備えており、この第２接続端子群の各端子は、ＬＳＩの各出力端子に電気的に接続され、
　前記フィルム基板上には、前記第１接続端子群と前記第２接続端子群とを接続する配線パターンが形成されているＴＡＢ−ＩＣ。」
　
３．対比・判断
　そこで、本願発明と引用発明とを対比する。
（ア）引用発明における「ＴＦＴを駆動するドライバＩＣすなわちＬＳＩ」、「絶縁性の樹脂によって形成されたフィルム基板」、「第１接続端子群」、「第２接続端子群」、「第１接続端子群と前記第２接続端子群とを接続する配線パターン」及び「ＴＡＢ−ＩＣ」は、本願発明の「ＩＣチップ」、「フィルム基板」、「第１の出力端子」、「第２の出力端子」、「複数の出力配線」及び「ＩＣチップモジュール」に相当する。
（イ）そして、引用発明において、「フィルム基板の一端側は、液晶表示パネルのアレイ基板に形成された周辺エリアの配線パターンに対応して、第１のピッチで形成された第１接続端子群を備えており、この第１接続端子群の各端子は、異方性導電膜を介してアレイ基板側の周辺エリアに設けられた配線パターンに電気的に接続され」、かつ「前記フィルム基板の他端側は、ＬＳＩの出力端子に対応して、第１のピッチとは異なる第２のピッチで形成された第２接続端子群を備えており、この第２接続端子群の各端子は、ＬＳＩの各出力端子に電気的に接続され」る点は、本願発明において、「フィルム基板の出力側に配列ピッチが異なる第１及び第２の出力端子を有する複数の出力配線をＩＣチップに接続」する点に相当する。
（ウ）引用発明において、ＴＡＢ−ＩＣがドライバＩＣすなわちＬＳＩを備える点は、本願発明において、フィルム基板にＩＣチップが搭載される点に相当する。
（エ）また、引用発明における「第１接続端子群」は、液晶表示パネルのアレイ基板に形成された周辺エリアの配線パターンに対応して、第１のピッチで形成されたものであり、かつ異方性導電膜を介してアレイ基板側の周辺エリアに設けられた配線パターンに電気的に接続されるものであるから、本願発明の「第１の出力端子」の如く、「液晶表示パネル接合用」のものであると認められる。
　
　以上の（ア）〜（エ）を考慮すれば、本願発明と引用発明とは、
　
「ＩＣチップが搭載されたフィルム基板の出力側に配列ピッチが異なる第１及び第２の出力端子を有する複数の出力配線が前記ＩＣチップに接続されて設けられたＩＣチップモジュールの前記第１の出力端子を液晶表示パネル接合用とすることを特徴とするＩＣチップモジュール」
　
である点で一致するものの、次の点で相違する。
　
＜相違点＞
　本願発明では、ＩＣチップが搭載されたフィルム基板の入力側に複数の入力配線が前記ＩＣチップに接続されて設けられているのに対して、引用発明では、そのような複数の入力配線について規定されていない点。
　
　そこで、上記相違点について検討する。
　
　液晶表示パネル接合用の出力端子及び該出力端子から延在された配線パターンと、前記配線パターンの前記出力端子と反対側の端部に接続されてなるＩＣチップとをフィルム基板上に設けたＩＣチップモジュールにおいて、前記フィルム基板上に前記ＩＣチップに対する複数の入力配線を設けることは、下記の周知例１、２に記載されるように、本願出願前既に周知の事項にすぎない。
　そして、このような周知の事項を引用発明に適用して、ＩＣチップが搭載されたフィルム基板の入力側に複数の入力配線が前記ＩＣチップに接続されて設けられた本願発明の構成とすることは、当業者が容易になし得たことである。
　
周知例１：特開平１０−３０３５２８号公報
〔周１ａ〕「【発明の実施の形態】
　図１（Ａ）及び（Ｂ）はこの発明の第１実施形態を適用した液晶表示装置の要部を示したものである。この液晶表示装置は、液晶表示パネル２１、半導体チップ２２が搭載されたＴＡＢ基板（フレキシブル配線基板）２３、回路基板２４を備えている。このうち液晶表示パネル２１は、下側の透明基板２５と図示しない上側の透明基板とを備え、下側の透明基板２５の１辺が上側の透明基板の１辺から突出され、この突出部分の上面に接続端子２６が複数配列形成された構造となっている。回路基板２４の上面の所定の箇所には複数の接続端子２７が配列形成されている。・・・
　ＴＡＢ基板２３のほぼ中央部には長方形状のデバイスホール２８がほぼ幅方向いっぱいに形成され、図１（Ａ）における下端部にはアウタリードホール２９がほぼ幅方向いっぱいに形成されている。ＴＡＢ基板２３の下面におけるアウタリードホール２９の部分には複数の入力端子３０が掛け渡されて配列形成されている。ＴＡＢ基板２３の下面におけるデバイスホール２８と入力端子３０との間には複数の入力配線３１が配列形成されている。入力配線３１の図１（Ａ）における下端部は入力端子３０に接続され、図１（Ａ）における上端部はデバイスホール２８内に突出されている。ＴＡＢ基板２３の下面であって図１（Ａ）における上端部には複数の出力端子３２が配列形成されている。ＴＡＢ基板２３の下面におけるデバイスホール２８と出力端子３２との間には複数の出力配線３３が配列形成されている。出力配線３３の図１（Ａ）における上端部は出力端子３２に接続され、図１（Ａ）における下端部はデバイスホール２８内に突出されている。そして、ＴＡＢ基板２３のデバイスホール２８の部分には長方形状の半導体チップ２２が搭載されている。すなわち、半導体チップ２２はデバイスホール２８内に配置され、その下面に形成された図示しない入力端子及び図示しない出力端子はそれぞれ入力配線３１及び出力配線３３の各突出部に接合されている。また、ＴＡＢ基板２３の入力端子３０は回路基板２４の接続端子２７にはんだ３４を介して接合され、出力端子３２は下側の透明基板２５の接続端子２６に図示しない異方導電性接着剤を介して接合されている。」（【０００８】〜【０００９】）
　
周知例２：特開平４−５０８２０号公報
〔周２ａ〕「〔実施例〕
　以下、本発明を液晶表示装置に適用した図の実施例に基づいて具体的に説明する。
・・・
　可撓性配線接続部材１は、ポリイミド樹脂等のシート状の合成樹脂製可撓性基材１０の片面に銅箔等で配線１１・１２を形成したいわゆるＦＰＣよりなり、その可撓性配線接続部材１上にＬＳＩ等の液晶駆動用のＩＣチップ２がＴＡＢ方式により実装されている。
・・・
　また上記ＩＣチップ２に対する入力配線１１および出力配線１２は、第１図・第３図に示すように基材１０上においてＩＣチップ２を中心に互いに反対方向に向かって形成されている。その入出力配線１１・１２のＩＣチップ２側の端部はＩＣチップの入出力端子と同ピッチで同数設けられ、出力配線１２のＩＣチップと反対側の端部のピッチは、本例においては１００μｍに設定されている。
・・・
　そして前記従来例と同様に上記入力配線１１の他端を不図示の制御回路基板に半田付け等で接続し、出力配線１２を不図示の液晶表示パネルの電極基板に異方性導電接着剤等で接続するものである。」（第３頁左上欄第４行〜同頁左下欄第７行）
　
　なお、本願発明の効果は、引用発明及び上記周知事項から予測可能な範囲のものであり、格別顕著でない。
　
　したがって、本願発明は、引用発明及び上記周知事項に基づいて当業者が容易に発明をすることができたものである。
　
４．むすび
　以上のとおりであるから、本願の請求項１０に係る発明は、特許法第２９条第２項の規定により特許を受けることができないものである。
　したがって、その余の請求項について論及するまでもなく、本願は、拒絶すべきものである。
　よって、結論のとおり審決する。